(57)【要約】【課題】可動式液晶モニターを搭載した撮像装置において、ハイアングルやローアングルで撮影しているときであっても、接眼検知手段による接眼の誤検知を防止する。【解決手段】撮像装置（１０）は、第１の表示手段（１０２）と、撮像装置の本体に格納された状態である格納状態と、撮像装置の本体から突出した状態である非格納状態とのいずれかの状態を取り得る第２の表示手段（１０１）と、対象物の接近を検知する接近検知手段（１０４）と、接近検知手段が対象物の接近を検知した場合に第１の表示手段に画像を表示させ、接近検知手段が対象物の接近を検知しない場合に第２の表示手段に画像を表示させる制御手段（１１１）とを備える。制御手段（１１１）は、第２の表示手段が格納状態または非格納状態のいずれにあるかに応じて、接近検知手段の検知機能を制御する。【選択図】図１
2011071971.tif 000002
【特許請求の範囲】
【請求項１】
画像を撮像する撮像装置であって、
第１の表示手段と、
撮像装置の本体に格納された状態である格納状態と、撮像装置の本体から突出した状態である非格納状態とのいずれかの状態を取り得る第２の表示手段と、
対象物の接近を検知する接近検知手段と、
前記接近検知手段が対象物の接近を検知した場合に前記第１の表示手段に画像を表示させ、前記接近検知手段が対象物の接近を検知しない場合に前記第２の表示手段に画像を表示させる制御手段と、を備え、
前記制御手段は、前記第２の表示手段が格納状態または非格納状態のいずれにあるかに応じて、前記接近検知手段の検知機能を制御する、
ことを特徴とする撮像装置。
【請求項２】
前記接近検知手段は、対象物が所定の検知時間以上連続して検知された場合に、対象物が接近したことを検知し、
前記制御手段は、前記第２の表示手段が非格納状態にあるときの検知時間を、前記第２の表示手段が格納状態にあるときの検知時間よりも長くする、
ことを特徴とする請求項１記載の撮像装置。
【請求項３】
前記制御手段は、前記第２の表示手段が非格納状態にあるときは、前記接近検知手段の検知機能を停止させる、
ことを特徴とする請求項１記載の撮像装置。
【請求項４】
前記接近検知手段は、対象物が前記接近検知手段から所定の検知距離内にある場合に、対象物が接近したことを検知し、
前記制御手段は、前記第２の表示手段が非格納状態にあるときの所定の検知距離を、前記第２の表示手段が格納状態にあるときの所定の検知距離よりも短くする、
ことを特徴とする請求項１記載の撮像装置。
【請求項５】
前記接近検知手段は、対象物が前記接近検知手段から所定の検知距離内にある場合、及び／または、対象物が所定の検知時間以上連続して検知された場合に、対象物が接近したことを検知し、
前記制御手段は、前記第２の表示手段が非格納状態にあるときの所定の検知距離を、前記第２の表示手段が格納状態にあるときの所定の検知距離よりも短くする、
ことを特徴とする請求項１記載の撮像装置。
【請求項６】
前記接近検知手段は、対象物が前記接近検知手段から所定の検知距離内にある場合、及び／または、対象物が所定の検知時間以上連続して検知された場合に、対象物が接近したことを検知し、
前記制御手段は、前記第２の表示手段が非格納状態にあるときの所定の検知時間を、前記第２の表示手段が格納状態にあるときの所定の検知時間よりも長くする、
ことを特徴とする請求項１記載の撮像装置。
【請求項７】
画像を撮像する撮像装置であって、
第１の表示手段と、
撮像装置の本体に格納された状態である格納状態と、撮像装置の本体から突出した状態である非格納状態とのいずれかの状態を取り得る第２の表示手段と、
対象物の接近を検知する接近検知手段と、
前記接近検知手段が対象物の接近を検知した場合に前記第１の表示手段に画像を表示させ、前記接近検知手段が対象物の接近を検知しない場合に前記第２の表示手段に画像を表示させる制御手段と、を備え、
前記制御手段は、前記第２の表示手段が非格納状態にあるときは、前記接近検知手段が対象物の接近を検知しても、前記第１の表示手段に画像を表示させない、
ことを特徴とする撮像装置。
【請求項８】
前記第１の表示手段は電子式ビューファイダーであり、前記第２の表示手段は可動式液晶モニターである、ことを特徴とする請求項１から７のいずれ１項に記載の撮像装置。
【発明の詳細な説明】
【技術分野】
【０００１】
本発明は、被写体の画像データを記録する撮像装置に関し、特に、二つの表示手段を備える撮像装置に関する。
【背景技術】
【０００２】
特許文献１は、複数の表示手段を備える撮像装置に関するものである。特許文献１に記載の撮像装置は、電子式ビューファインダーと、液晶モニターと、ファインダーへの接眼（ファインダーにユーザの一瞳が近接した状態）を検知するセンサーとを備える。その撮像装置は、センサーによりファインダーへの接眼（ファインダーに人（ユーザ）の瞳が近接した状態）が検知されたときは、第１の表示手段(ファイダー)に画像の表示を行い、接眼が検知されないときは、第２の表示手段（液晶モニター）に画像の表示を行う。つまり、二つの表示手段がセンサーの検知結果に基づいて自動的に切り替えられるようになっている。
【０００３】
また、他の撮像装置として、ユーザがスライドスイッチや回転式スイッチを操作することにより、前述のような接眼の有無によって電子式ビューファインダーによる表示と液晶モニターによる表示とを自動的に切り替える表示モードと、電子式ビューファインダーによる表示モードと、液晶モニターによる表示モードとを、選択的に切り替えることができる撮像装置が知られている。
【先行技術文献】
【特許文献】
【０００４】
【特許文献１】特開２００４−２０１１０４号公報
【発明の概要】
【発明が解決しようとする課題】
【０００５】
特許文献１に記載の技術では、液晶モニターに表示された画像を見ながら撮影者がハイアングルやローアングルで撮影動作を行っているときに、撮影者の腕や撮像装置のストラップ等が接眼検知手段（センサー）の近傍にあると、接眼検知手段が接眼を誤検知して、液晶モニターによる表示モードから電子式ビューファインダーによる表示モードに切り替わってしまうという不都合が生じる場合がある。
【０００６】
この不都合を回避するために、自動モードから液晶モニターによる表示モードに選択的に切り替えることは撮影者にとって煩瑣であるし、また、スライドスイッチや回転式スイッチを設けることは撮像装置のコスト上昇にもつながる。
【０００７】
本発明は、上記課題を解決し、複数の表示手段を搭載した撮像装置において、ハイアングルやローアングルで撮影しているときであっても、撮像装置のコストの上昇を招くことなく、接眼検知手段による接眼の誤検知を防止し、もって撮影者の使い勝手を向上した撮像装置を提供することを目的とする。
【課題を解決するための手段】
【０００８】
本発明の第１の態様で提供される撮像装置は、画像を撮像する撮像装置であって、第１の表示手段と、撮像装置の本体に格納された状態である格納状態と、撮像装置の本体から突出した状態である非格納状態とのいずれかの状態を取り得る第２の表示手段と、対象物の接近を検知する接近検知手段と、接近検知手段が対象物の接近を検知した場合に第１の表示手段に画像を表示させ、接近検知手段が対象物の接近を検知しない場合に第２の表示手段に画像を表示させる制御手段とを備える。制御手段は、第２の表示手段が格納状態または非格納状態のいずれにあるかに応じて、接近検知手段の検知機能を制御する。
【０００９】
例えば、接近検知手段が、対象物が所定の検知時間以上連続して検知された場合に、対象物が接近したことを検知する場合、制御手段は、第２の表示手段が非格納状態にあるときの検知時間を、第２の表示手段が格納状態にあるときの検知時間よりも長くしてもよい。
【００１０】
また、制御手段は、第２の表示手段が非格納状態にあるときは、接近検知手段の検知機能を停止させてもよい。
【００１１】
また、接近検知手段が、対象物が前記接近検知手段から所定の検知距離内にある場合に、対象物が接近したことを検知してもよく、制御手段は、第２の表示手段が非格納状態にあるときの所定の検知距離を、第２の表示手段が格納状態にあるときの所定の検知距離よりも短くしてもよい。
【００１２】
また、接近検知手段が、対象物が接近検知手段から所定の検知距離内にある場合、及び／または、対象物が所定の検知時間以上連続して検知された場合に、対象物が接近したことを検知してもよく、制御手段は、第２の表示手段が非格納状態にあるときの所定の検知距離を、第２の表示手段が格納状態にあるときの所定の検知距離よりも短くしてもよい。
【００１３】
また、接近検知手段が、対象物が接近検知手段から所定の検知距離内にある場合、及び／または、対象物が所定の検知時間以上連続して検知された場合に、対象物が接近したことを検知してもよく、制御手段は、第２の表示手段が非格納状態にあるときの所定の検知時間を、第２の表示手段が格納状態にあるときの所定の検知時間よりも長くしてもよい。
【００１４】
本発明の第２の態様において提供される撮像装置は、画像を撮像する撮像装置であって、第１の表示手段と、撮像装置の本体に格納された状態である格納状態と、撮像装置の本体から突出した状態である非格納状態とのいずれかの状態を取り得る第２の表示手段と、対象物の接近を検知する接近検知手段と、接近検知手段が対象物の接近を検知した場合に第１の表示手段に画像を表示させ、接近検知手段が対象物の接近を検知しない場合に第２の表示手段に画像を表示させる制御手段と、を備える。制御手段は、第２の表示手段が非格納状態にあるときは、接近検知手段が対象物の接近を検知しても、第１の表示手段に画像を表示させない。
【発明の効果】
【００１５】
本発明によれば、特別の構成（スライドスイッチや回転式スイッチなど）を付加せずに、制御手段が、第２の表示手段（例えば、可動式液晶モニター）が非格納状態にあるときは、接眼検知手段が対象物の接近を検知しても第１の表示手段（例えば、電子式ビューファインダー）に画像を表示させないようにできる。よって、コストの上昇を招くことなく、撮影者がハイアングルやローアングルで撮影しているときであっても、接眼検知手段による誤検知を防止し、もって使い勝手を格段に向上した撮像装置を提供することができる。
【図面の簡単な説明】
【００１６】
【図１】実施の形態の撮像装置の斜視図
【図２】実施の形態の撮像装置の背面図
【図３】実施の形態の撮像装置の構成図
【図４】画像撮影時の撮像装置の一般的な姿勢（横位置）説明した図
【図５】画像撮影時の撮像装置の一般的な姿勢（縦位置）を説明した図
【図６】撮像装置にストラップを装着した状態を示す図
【図７】可動式液晶モニターの回転を説明する図
【図８】可動式液晶モニターの開閉を説明する図
【図９】撮像装置の表示手段の切替え動作の第一の例を示すフローチャート
【図１０】撮像装置の表示手段の切替え動作の第二の例を示すフローチャート
【図１１】接眼センサーの検知時間の切替え方法を説明するための図
【発明を実施するための形態】
【００１７】
以下、本発明の実施の形態について、図面を参照しながら説明する。
【００１８】
１．撮像装置の構成
図１は、本発明の実施の形態の一例である撮像装置（デジタルカメラ）の斜視図である。撮像装置１０は、カメラ本体１００と、カメラ本体１００に装着可能な交換レンズ２００とから構成されている。
【００１９】
撮像装置１０の背面には、可動式液晶モニター１０１と、電子式ビューファインダー１０２とが備えられている。電子式ビューファインダー１０２の近傍には、接眼検知センサー１０４が備えられている。
【００２０】
図２は、可動式液晶モニター１０１が開いた状態（以下「非格納状態」という。）にあるときの撮像装置１０の背面図である。同図に示すように、撮像装置１０の背面にはさらにスイッチ１０５が設けられている。このスイッチ１０５は、可動式液晶モニター１０１が閉じた状態（以下「格納状態」という。）にあるときは、可動式液晶モニター１０１の枠がスイッチ１０５に当接して押圧され、可動式液晶モニター１０１が非格納状態にあるときには、可動式液晶モニター１０１の枠が当接せず、押圧されないように構成される。
【００２１】
図３は、撮像装置１０の機能的な構成を示すブロック図である。カメラ本体１００は、可動式液晶モニター１０１、電子式ビューファインダー（ＥＶＦ）１０２、接眼検知センサー１０４、スイッチ１０５に加えて、モードダイアル１０６、レリーズボタン１０７、シャッター１０８、撮像素子１０９（ＣＣＤやＣＭＯＳセンサーなど）、信号処理回路１１０、本体コントローラ１１１、及びメモリーカードスロット１１２を備える。
【００２２】
交換レンズ２００は、対物レンズ２０１、ズームレンズ２０２、絞り機構２０３、フォーカスレンズ２０４、及びレンズコントローラ２０５を備える。
【００２３】
レンズコントローラ２０５は、本体コントローラ１１１と通信して、ズームレンズ２０２、絞り機構２０３、及びフォーカスレンズ２０４の動きを制御する。
【００２４】
電子式ビューファインダー１０２は、ユーザが接眼することによって画像（表示内容）を視認することを可能とする表示手段である。電子式ビューファインダー１０２を利用することにより、両手と顔の一部で撮像装置１０を支えることができ、安定して構図を決めることができる。
【００２５】
可動式液晶モニター１０１は、ユーザが接眼しなくても画像（表示内容）を視認することを可能とする表示手段である。可動式液晶モニター１０１を利用することにより、比較的大きな画面で画像を視認することができるとともに、三脚を使用した植物のマクロ撮影などのように、電子式ビューファインダー１０２に接眼することが困難な状況においても容易に画像を視認することができる。可動式液晶モニター１０１は、液晶パネル（液晶表示デバイス）を含む表示手段であり、二軸方向（Ｘ、Ｙ軸方向）に可動に構成され、カメラ本体１００に対する角度を任意に変えることができる。
【００２６】
接眼検知センサー１０４は、物体（人を含む）が所定距離内に接近したことを検知可能な近接検知センサーにより構成され、電子式ビューファインダー１０２に人（撮影者）の眼が近接した状態（接眼状態）であることを検知する。
【００２７】
スイッチ１０５は、可動式液晶モニター１０１が格納状態（すなわち、固定状態）にあるときに、可動式液晶モニター１０１の枠により押圧されてＯＮし、可動式液晶モニター１０１が非格納状態（すなわち、可動状態）にあるときは、可動式液晶モニター１０１の枠に押圧されず、ＯＦＦするように構成される。
【００２８】
モードダイアル１０６は、撮影者が撮像装置１０の動作モードを設定するための操作部材である。動作モードには、画像撮影時に選択される撮影モードと、記録した画像の再生時に選択される再生モードがある。
【００２９】
本体コントローラ１１１は、接眼検知センサー１０４、スイッチ１０５、モードダイアル１０６、レリーズボタン１０７の状態を監視し、シャッター１０８、撮像素子１０９、信号処理回路１１０の動きを制御する。また、レンズコントローラ２０５と通信して、交換レンズ２００全体の動きを制御する。なお、図３では、本体コントローラ１１１とレンズコントローラ２０５との通信経路は図示していない。
【００３０】
以上のように構成される撮像装置１０においては、モードダイアル１０６によって撮影モードが選択されているとき、シャッター１０８は開状態であって、撮像素子１０９の露光量は、絞り機構２０３と電子シャッターで調整されている。交換レンズ２００は、被写体の像を撮像素子１０９に結像させる。撮像素子１０９は、被写体の像に対応した画像信号を信号処理回路１１０に出力する。信号処理回路１１０は、画像信号に所定の処理を施して映像信号を生成し、この映像信号を電子式ビューファインダー１０２または可動式液晶モニター１０１に出力する。信号処理回路１１０は、撮像素子１０９から出力された画像信号に所定の処理を施した画像データをメモリーカードスロット１１２に装着された記録媒体に記録する。
【００３１】
一方、モードダイアル１０６によって再生モードが選択されているときは、信号処理回路１１０は、メモリーカードスロット１１２に装着された記録媒体に記録された画像データを読み出して、読み出した画像データから映像信号を生成し、この映像信号を電子式ビューファインダー１０２または可動式液晶モニター１０１に出力する。
【００３２】
つまり、本実施の形態においては、モードダイアル１０６によって撮影モードが選択されているときは、電子式ビューファインダー１０２または可動式液晶モニター１０１に、被写体の像に対応した画像信号に基づく画像が表示される。一方、モードダイアル１０６によって再生モードが選択されているときは、電子式ビューファインダー１０１または液晶モニター１０２に、メモリーカードスロット１１２に装着されたメモリーカードに記録された画像データに基づく画像が表示される。
【００３３】
本実施の形態の撮像装置１０は、表示手段の切替モードとして自動切替モードを備えている。この自動切替モードが選択されている場合、接眼検知センサー１０４及びスイッチ１０５の検知結果にしたがって、電子式ビューファインダー１０２または液晶モニター１０１に画像が表示される。この表示手段の切替動作の詳細については後述する。
【００３４】
２．撮像装置の姿勢
撮像装置１０の動作を説明する前に、撮像装置１０使用時の撮像装置１０の姿勢について説明する。
【００３５】
図４は、撮像装置１０を使用した撮影者の一般的な撮影時の姿勢を示す図である。図４では、撮像装置１０は横位置に保持されている。図４（ａ）は、最も一般的な撮影姿勢であって、撮像装置１０を撮影者の顔のほぼ正面に構えた姿勢を示す。図４（ｂ）は、人垣の向こうにある被写体を撮影するときのように、撮像装置１０を撮影者の顔よりも上に構えた撮影姿勢（ハイアングル）を示す。図４（ｃ）は、花や昆虫等を撮影するときのように、撮像装置１０を撮影者の顔よりも下に構えた撮影姿勢（ローアングル）を示す。
【００３６】
撮像装置１０には、撮像装置１０から顔が離れた状態でも撮影者が被写体を視認することを可能とする可動式液晶モニター１０１と、撮影者が撮像装置１０に顔を接近させて覗き込むことで被写体を視認することを可能とする電子式ビューファインダー１０２とが搭載されている。図４（ａ）、（ｂ）、（ｃ）は、撮影者がいずれも可動式液晶モニター１０１によって被写体を視認している場合を示す。
【００３７】
可動式液晶モニター１０１に被写体を表示するか、電子式ビューファインダー１０２に被写体を表示するかは、電子式ビューファインダー１０２の近傍に設けられた接眼検知センサー１０４（接眼検知手段）によって、自動的に切り替えられる。すなわち、接眼検知センサー１０４が撮影者の顔の接近を検知しているときは電子式ビューファインダーに被写体を表示し、接眼検知センサー１０４が撮影者の顔の接近を検知していないときは可動式液晶モニター１０１に被写体を表示する。
【００３８】
可動式液晶モニター１０１は、格納状態（図４（ａ））と非格納状態（図４（ｂ）及び（ｃ））の間を遷移することができる。液晶パネルの視野角には制限があるため、ハイアングルやローアングルでの撮影のときに、可動式液晶モニター１０１が格納状態であっては被写体の視認が困難である。したがって、ハイアングルやローアングルでの撮影のときは、可動式液晶モニター１０１を非格納状態に遷移させ、被写体が明瞭に視認できる角度に調整することが望ましい。一方、顔を接近させて覗き込むことで被写体を視認することができる電子式ビューファインダー１０２では、ハイアングルやローアングルでの撮影は困難である。
【００３９】
ハイアングル（図４（ｂ））やローアングル（図４（ｃ））の撮影では、撮影者が撮像装置１０を保持する手が、一般的な撮影姿勢（図４（ａ））と比べて不自然になることは否めない。いきおい、撮影者の右手親指等が接眼検知センサー１０４の近傍に置かれることも起こりうる。また、図４では示していないが、撮像装置１０にストラップやショルダーベルトが取り付けられている場合もある。撮影者がストラップやショルダーベルトを手に巻きつけている場合、それらが接眼検知センサー１０４の近傍に位置することも起こりうる。さらに、ローアングル（図４（ｃ））の撮影では、撮影者が携帯電話や携帯型音楽プレーヤ等をネックストラップで首からぶら下げていた場合、撮影者がマフラーやストール等を首に巻いていた場合等では、それらが接眼検知センサー１０４の近傍に位置することも起こりうる。そうすると、接眼検知センサー１０４が接眼を誤検知して、撮影者は可動式液晶モニター１０１で被写体を視認しているにもかかわらず、電子式ビューファインダー１０２に被写体が表示されてしまうという不都合が発生する。
【００４０】
図５は、撮像装置１０の別の姿勢を示す図である。図４に示す姿勢との違いは、撮影者が撮像装置１０を縦位置に構えている点である。図５（ａ）、（ｂ）、（ｃ）はそれぞれ図４（ａ）、（ｂ）、（ｃ）に対応している。
【００４１】
図６は、撮像装置１０にストラップ１０３を装着した状態を示す図である。図５ではストラップを示していないが、縦位置の撮影では、撮像装置１０の撮影者から見て右側のストラップ固定部からストラップ１０３が垂れ下がるので、ストラップ１０３が接眼検知センサー１０４の近傍に位置することによる接眼検知センサー１０４の誤検知の問題がより深刻になることは容易に理解できるであろう。
【００４２】
３．撮像装置の動作
３．１  可動式液晶モニターの開閉、回転
可動式液晶モニター１０１は、撮像装置１０に対して、二つの異なる軸（Ｘ方向の軸、Ｙ方向の軸）を中心に回転することができる。図７を参照して、これを具体的に説明する。図７（ａ）に示すように、可動式液晶モニター１０１は、Ｙ方向の軸を軸として回転可能である。さらに、図７（ｂ）に示すように、可動式液晶モニター１０１は、Ｘ方向の軸を軸としても回転可能である。図７（ａ）、（ｂ）に示す状態は、いずれも非格納状態であり、スイッチ１０５はＯＦＦである。
【００４３】
なお、本実施の形態では、撮像装置１０では、可動式液晶モニター１０１は、二つの異なる軸を中心に回転することができるとしたが、これに限定するものではない。可動式液晶モニター（「バリアブルアングル方式液晶モニター」などとも呼ばれる）を機構的に実現する方法は種々存在する。また、表示手段は液晶モニターに限定されるものでもない。例えば、有機ＥＬディスプレイであっても構わない。要するに、格納状態と非格納状態の間を遷移することが可能な可動式のものであれば、任意の表示手段が使用できる。
【００４４】
図８は、可動式液晶モニター１０１の開閉の様子を説明した図である。図８（ａ）は、可動式液晶モニター１０１の液晶パネル面を撮像装置１０側に向けて、可動式液晶モニター１０１を撮像装置１０に格納した状態を示している。撮像装置１０を使用しないときは、このように可動式液晶モニター１０１を格納すれば、液晶パネルの傷や割れを防止できる。可動式液晶モニター１０１を、Ｙ方向を軸として、図８（ａ）の矢印Ａの向きに回転させることで可動式液晶モニター１０１を開くことができる。
【００４５】
図８（ｂ）は、このようにして可動式液晶モニター１０１を開いた状態を示している。可動式液晶モニター１０１の液晶パネル面は撮影者側を向いている。この可動式液晶モニター１０１の状態は「非格納状態」である。可動式液晶モニター１０１が一定程度開いていれば、可動式液晶モニター１０１は、Ｘ方向を軸とする回転も可能になる。可動式液晶モニター１０１を図８（ｂ）の矢印Ｂの向きにＸ方向を軸として１８０°回転させることで、可動式液晶モニター１０１の液晶パネル面を被写体側に向けることが可能となる。
【００４６】
図８（ｃ）は、可動式液晶モニター１０１の液晶モニター面を撮影者側に向けて撮像装置１０に格納した状態を示している。図８（ｂ）の状態から、可動式液晶モニター１０１を矢印Ｂの向きにＸ方向を軸として１８０°回転させ、さらに、その状態から、可動式液晶モニター１０１を図８（ｃ）の矢印Ｃの向きにＹ方向を軸として回転させることで、図８（ｃ）の状態となる。この可動式液晶モニター１０１の状態は「格納状態」である。この状態では、撮影者は、可動式液晶モニター１０１で被写体を視認しながら撮影を行うことができる。
【００４７】
３−２．可動式液晶モニターの開閉の検出
前述のように、電子式ビューファインダー１０２は、接眼することによって被写体を視認することができる表示手段である。電子式ビューファインダー１０２を使用したとき、両手と顔の一部で撮像装置１０を支えることができるので、撮影者は、安定して構図を決めることができる。一方、可動式液晶モニター１０１は、接眼しなくても被写体を視認することができる表示手段である。可動式液晶モニター１０１を使用する場合、撮影者は比較的大きな画面で被写体を視認することができるとともに、ハイアングルやローアングルでの撮影のように、電子式ビューファインダー１０２に接眼することが困難な状況においても、容易に被写体を視認できる。可動式液晶モニター１０１は、撮像装置１０に対する角度を任意に変更できるように構成されている。
【００４８】
本体コントローラ１１１は、接眼検知センサー１０４が接眼を検知しているときは、電子式ビューファインダー１０２に、撮像素子１０９で撮像された被写体の画像を表示し、接眼検知センサー１０４が接眼を検知していないときは、可動式液晶モニター１０１に被写体の画像を表示するように制御を行う。また、本体コントローラ１１１は、スイッチ１０５から受信した検知信号に基づき、可動式液晶モニター１０１が格納状態にあるのか、非格納状態にあるのかを判別することができる。つまり、本体コントローラ１１１は、接眼検知センサー１０４からの検知信号と、スイッチ１０５からの検知信号とに応じて、可動式液晶モニター１０１及び電子式ビューファインダー１０２での被写体画像の表示を切り替える。
【００４９】
３−３．撮像装置の動作
図９は、撮像装置１０の第一の動作例を示すフローチャートである。撮像装置１０に含まれる本体コントローラ１１１はスイッチ１０５からの検知信号を受けてスイッチ１０５の状態を確認する（Ｓ２０１）。
【００５０】
スイッチ１０５がＯＮであれば（Ｓ２０１でＮＯ）、可動式液晶モニター１０１は格納状態にある。したがって、撮影者がハイアングルやローアングルで撮影を行っている可能性は低いと考えられる。そこで、接眼検知センサー１０４をＯＮ（動作状態）にして（Ｓ２０４）、可動式液晶モニター１０１に被写体の画像を表示するか電子式ビューファインダー１０２に被写体の画像を表示するかを自動的に切り替えるようにする。すなわち、接眼検知センサー１０４のからの検知信号に基づき、接眼検知センサー１０４が接眼を検知したか否かを判断する（Ｓ２０５）。接眼検知センサー１０４が接眼を検知すれば（Ｓ２０５でＹＥＳ）、電子式ビューファインダー１０２に被写体の画像を表示する（Ｓ２０６）。一方、接眼検知センサー１０４が接眼を検知しなければ（Ｓ２０５でＮＯ）、可動式液晶モニター１０１に被写体の画像を表示する（Ｓ２０７）
【００５１】
一方、スイッチ１０５がＯＦＦであれば（Ｓ２０１でＹＥＳ）、可動式液晶モニター１０１は非格納状態にある。したがって、撮影者がハイアングルやローアングルで撮影を行っている可能性が高いと考えられる。そこで、接眼検知センサー１０４をＯＦＦにして（Ｓ２０２）、可動式液晶モニター１０１に被写体の画像を表示する（Ｓ２０３）。
【００５２】
４．その他の実施の形態
（１）図９に示したフローでは、可動式液晶モニター１０１が格納状態にあるときに接眼検知センサー１０４をＯＮにし（Ｓ２０４）、一方、可動式液晶モニター１０１が非格納状態にあるときに接眼検知センサー１０４をＯＦＦにした（Ｓ２０２）。可動式液晶モニター１０１が非格納状態にあるときに接眼検知センサー１０４をＯＦＦにすると、消費電力の削減効果がある。しかし、表示手段の切替えの制御はこの制御に限るものではない。
【００５３】
例えば、可動式液晶モニター１０１が格納状態にあるか非格納状態にあるかに応じて、接眼検知センサー１０４のＯＮ／ＯＦＦを切替えないようにしてもよい。その場合は、可動式液晶モニター１０１が非格納状態にあるときは、本体コントローラ１１１が接眼検知センサー１０４からの検知信号を無視するようにすればよい。すなわち、可動式液晶モニター１０１が非格納状態にあるときは、接眼検知センサー１０４からの検知信号に基づき接眼が検知されたとしても、本体コントローラ１１１は、電子式ビューファインダー１０２に被写体画像を表示せず、可動式液晶モニター１０１による被写体画像の表示を維持するようにしてもよい。
【００５４】
（２）また、可動式液晶モニター１０１が格納状態にあるか非格納状態にあるかに応じて、接眼検知センサー１０４の特性を変更してもよい。
【００５５】
例えば、可動式液晶モニター１０１が格納状態にあるときに接眼検知センサー１０４の検知距離を長くし、可動式液晶モニター１０１が非格納状態にあるときに接眼検知センサー１０４の検知距離を短くしてもよい。接眼検知センサー１０４は、接眼検知センサー１０４から検知距離内に対象物が存在する場合に、接眼を検知し、検知信号を出力する。すなわち、検知距離とは、接眼検知センサー１０４が接眼を検知できる接眼検知センサー１０４から対象物までの距離のうちの最長の距離である。検知距離が長い場合、接眼検知センサー１０４と対象物との距離が比較的遠くても接眼を検知でき、検知距離が短い場合、接眼検知センサー１０４と対象物との距離が比較的近くなければ接眼を検知できない。
【００５６】
図１０に、撮像装置１０の第２の動作例を示すフローチャートを示す。このフローでは、可動式液晶モニター１０１の格納状態／非格納状態に基づき、接眼検知センサー１０４の検知距離を切り替えている。
【００５７】
図１０において、撮像装置１０の本体コントローラ１１１は、スイッチ１０５からの検知信号を受けてスイッチ１０５の状態を確認する（Ｓ３０１）。
【００５８】
スイッチ１０５がＯＮであれば（Ｓ３０１でＮＯ）、可動式液晶モニター１０１は格納状態にある。したがって、撮影者がハイアングルやローアングルで撮影を行っている可能性は低いと考えられる。そこで、接眼検知センサー１０４の検知距離を長くする（Ｓ３０３）。一方、スイッチ１０５がＯＦＦであれば（Ｓ３０１でＹＥＳ）、可動式液晶モニター１０１は非格納状態にある。したがって、撮影者がハイアングルやローアングルで撮影を行っている可能性が高いと考えられる。そこで、接眼検知センサー１０４の検知距離を短くする（Ｓ３０２）。接眼検知センサー１０４は、例えば、発光手段と受光手段で構成されている。そこで、発光手段の発光量を変化させたり、受光手段の感度を変化させたりすることで、検知距離を変化させることができる。さらに、接眼検知センサー１０４の出力（電流または電圧）を判定する閾値（接眼と判断する基準値）を変化させることでも検知距離を変化させることができる。
【００５９】
その後、スイッチ１０５のＯＮ／ＯＦＦ状態に関わらず、接眼検知センサー１０４からの検知信号に基づき接眼を検知したか否かを判断する（Ｓ３０４）。接眼検知センサー１０４が接眼を検知すれば（Ｓ３０４でＹＥＳ）、電子式ビューファインダー１０２に被写体の画像を表示する（Ｓ３０５）。一方、接眼検知センサー１０４が接眼を検知しなければ（Ｓ３０４でＮＯ）、可動式液晶モニター１０１に被写体の画像を表示する（Ｓ３０６）
【００６０】
このようにすれば、可動式液晶モニター１０１が非格納状態にあるとき、すなわち、撮影者がハイアングルやローアングルで撮影を行っている可能性が高いときに、接眼検知センサー１０４の検知距離を短くできるので、接眼検知センサー１０４のストラップ等の接近に基づく誤検知を抑制することができる。
【００６１】
（３）また、接眼検知センサー１０４の検知距離を変更する代わりに、接眼検知センサー１０４の検知時間を変更してもよい。接眼検知センサー１０４は、所定時間連続して接眼を検知した場合に、接眼を検知した旨の検知信号を出力する。そこで、可動式液晶モニター１０１が非格納状態にあるときと、格納状態にあるときとで、前記所定時間の値を異ならせても良い。具体的には、可動式液晶モニター１０１が非格納状態にあるときの所定時間を、可動式液晶モニター１０１が格納状態にあるときの所定時間よりも長くする。例えば、可動式液晶モニター１０１が格納状態にあるときの所定時間を３０msecとし、可動式液晶モニター１０１が非格納状態にあるときの所定時間を５０msecとしてもよい。例えば、図１１に示すように、接眼検知センサー１０４内部において、一定時間（図１１の例では、10msec）毎に対象物が所定距離内に近接しているか否かが検知され、対象物が所定距離内に近接していることが検知された場合に、１つのパルス信号が生成されるものとする。この場合、可動式液晶モニター１０１が非格納状態にあるときは、接眼検知センサー１０４は、５個連続してパルス信号が生成されたときに、すなわち、５０msecの間、対象物が所定距離内に近接していることが検知された場合に、接眼を示す検知信号を出力するようにしてもよい。また、可動式液晶モニター１０１が格納状態にあるときは、接眼検知センサー１０４は、３個連絡してパルスが生成されたときに、すなわち、３０msecの間、対象物が所定距離内に近接していることが検知された場合に、接眼を示す検知信号を出力するようにしてもよい。
【００６２】
つまり、可動式液晶モニター１０１が非格納状態にあるとき、すなわち、撮影者がハイアングルやローアングルで撮影を行っている可能性が高いときは、より長い時間、接眼を検知した場合に、接眼を検知した旨の検知信号を出力する。このようにすれば、撮影者が可動式液晶モニター１０１を操作中に、撮影者の指やストラップ等が瞬間的に接眼検知センサー１０４に近づいた場合でも、検知時間を比較的長く設定していることから、接眼検知センサー１０４が指やストラップ等の近接を接眼として誤って検知することを防止できる。すなわち、意図せずに被写体画像の表示手段が、可動式液晶モニター１０１から電子式ビューファインダー１０２へ切り替わってしまうという不都合を回避することができる。なお、接眼を検知したと判断する時間（前記所定時間）は、撮影者が実際に接眼した場合に、可動式液晶モニター１０１による被写体の表示から電子式ビューファインダー１０２による被写体の表示に切り替わるまでの時間が長すぎて撮影者が違和感をもたない程度の値に設定することが望ましい。
【００６３】
なお、可動式液晶モニター１０１の格納状態／非格納状態に応じて、検知時間と検知距離の双方を変更するようにしてもよい。
【００６４】
（４）また、上記の実施形態では、可動式液晶モニター１０１の状態検出手段として、図２に示すようなスイッチ１０５を設けたが、可動式液晶モニター１０１の状態手段の構成はこれに限られない。例えば、可動式液晶モニター１０１のＹ方向の軸部１２６に突起部を設け、その突起部に当接する撮像装置１０上の位置にスイッチを設けるようにしてもよい。また、Ｙ方向の軸部１２６内にホールセンサーとマグネットを配し、Ｙ軸を中心に可動式液晶モニター１０１を回転させたときにホールセンサーとマグネットの距離が変わることによって、可動式液晶モニター１０１が格納状態にあるのか、非格納状態にあるのかを判別するようにしてもよい。ホールセンサーを用いれば、可動式液晶モニター１０１が非格納状態にあると判別するための、ホールセンサーとマグネット間の距離を変更することができる。したがって、可動式液晶モニター１０１が一定程度開かないと、可動式液晶モニター１０１が非格納状態にあると判断されないようにすることもできる。以上要するに、本体コントローラ１１１が、可動式液晶モニター１０１が格納状態にあるのか、非格納状態にあるのかを判別することができれば、いずれの方法でもよい。
【００６５】
以上は、撮影者が撮影を行うために、可動式液晶モニター１０１に被写体の画像を表示させている場合について説明した。しかし、本実施形態の思想は、使用者が既に撮影された画像を可動式液晶モニター１０１に表示させて再生する場合においても適用可能である。また、撮影者が撮影を行うために、可動式液晶モニター１０１に被写体の画像を表示させている場合に限定してもよい。
【００６６】
５．まとめ
以上のように、上記実施形態の撮像装置１０は、電子式ビューファインダー１０２と、撮像装置１０の本体に格納された状態である格納状態と、撮像装置１０の本体から突出した状態である非格納状態とのいずれかの状態を取り得る可動式液晶モニター１０１と、対象物の接近を検知する接眼検知センサー１０４と、接眼検知センサー１０４が対象物の接近を検知した場合に電子式ビューファインダー１０２に画像を表示させ、接眼検知センサー１０４が対象物の接近を検知しない場合に可動式液晶モニター１０１に画像を表示させる本体コントローラ１１１とを備える。本体コントローラ１１１は、可動式液晶モニター１０１の状態（格納状態／非格納状態）に応じて、電子式ビューファインダー１０２及び／または可動式液晶モニター１０１の画像表示を制御する。
【００６７】
例えば、本体コントローラ１１１は、可動式液晶モニター１０１が非格納状態にあるときは、接眼検知センサー１０４の検知機能を停止させる。
【００６８】
または、本体コントローラ１１１は、可動式液晶モニター１０１が非格納状態にあるときは、接眼検知センサー１０４が対象物の接近を検知しても、電子式ビューファインダー１０２に画像を表示させないようにしてもよい。
【００６９】
または、接眼検知センサー１０４は、対象物が接眼検知センサー１０４から所定の検知距離内にある場合に、対象物が接近したことを検知する。本体コントローラ１１１は、可動式液晶モニター１０１が非格納状態にあるときの検知距離を、可動式液晶モニター１０１が格納状態にあるときの検知距離よりも短くしてもよい。
【００７０】
または、接眼検知センサー１０４は、対象物が所定の検知時間以上連続して検知された場合に、対象物が接近したことを検知する。本体コントローラ１１１は、可動式液晶モニター１０１が非格納状態にあるときの検知時間を、可動式液晶モニター１０１が格納状態にあるときの検知時間よりも長くしてもよい。
【００７１】
以上の構成により、本体コントローラ１１１が、可動式液晶モニター１０１が非格納状態にあるときは、接眼検知センサー１０４が対象物の接近を検知しても電子式ビューファインダー１０２に画像を表示させないようにできる。これにより、撮影者がハイアングルやローアングルで撮影しているときであっても、接眼検知センサー１０４の誤検知を防止し、もって使い勝手を格段に向上した撮像装置を提供することができる。
【００７２】
６．用語の対応
電子式ビューファインダー１０２は第１の表示手段の一例である。可動式液晶モニター１０１は第２の表示手段の一例である。接眼検知センサー１０４は接近検知手段の一例である。本体コントローラ１１１は制御手段の一例である。
【産業上の利用可能性】
【００７３】
本発明は、ハイアングルやローアングルで撮影しているときであっても、接眼検知手段による接眼の誤検知を防止することができるので、デジタルスチルカメラやデジタルビデオカメラ等の撮像装置に有用である。
【符号の説明】
【００７４】
１０  撮像装置
１００  カメラ本体
１０１  可動式液晶モニター
１０２  電子式ビューファインダー
１０３  ストラップ
１０４  接眼検知センサー
１０５  スイッチ
１２６  軸部
２００  交換レンズ
【図１】
2011071971.tif 000003
【図２】
2011071971.tif 000004
【図３】
2011071971.tif 000005
【図４】
2011071971.tif 000006
【図５】
2011071971.tif 000007
【図６】
2011071971.tif 000008
【図７】
2011071971.tif 000009
【図８】
2011071971.tif 000010
【図９】
2011071971.tif 000011
【図１０】
2011071971.tif 000012
【図１１】
2011071971.tif 000013